(57)【要約】【課題】  コンクリート板全体にわたって連続的にプレストレストが付与されたプレキャストコンクリート板を提供することである。【解決手段】  プレキャストコンクリート板１は、コンクリート板の長さ方向の中途部に段差部２が形成され、該段差部２を境にして形成された高さの異なる一方のコンクリート板３と他方のコンクリート板４とに長さ方向に沿って引張材５が適宜間隔をもって埋設され、これらの引張材５が段差部２において連結板６で連結され、該連結板６で連結されて一本になった引張材７で所定のプレストレスが付与されてなる。【選択図】図１
2006233697.tif 000002
【特許請求の範囲】
【請求項１】
コンクリート板の長さ方向の中途部に段差部が形成され、該段差部を境にして形成された高さの異なる一方のコンクリート板と他方のコンクリート板とに長さ方向に沿って引張材が適宜間隔をもって埋設され、これらの引張材が段差部において連結板で連結され、該連結板で連結されて一本になった引張材で所定のプレストレスが付与されたことを特徴とするプレキャストコンクリート板。
【請求項２】
連結板は斜板とこの両端部の垂直板とからなり、これらの垂直板に引張材の一端部が定着グリップまたは定着ナットで定着されたことを特徴とする請求項１に記載のプレキャストコンクリート板。
【請求項３】
連結板は対向した二枚の垂直板と、これらの垂直板を繋ぐ接続板とからなり、これら二枚の垂直板にわたって引張材の一端部が定着されたことを特徴とする請求項１に記載のプレキャストコンクリート板。
【発明の詳細な説明】
【技術分野】
【０００１】
本発明は段差部を備えたプレキャストコンクリート板に関するものである。
【背景技術】
【０００２】
近年、段差部１９を備えたプレキャストコンクリート板２０が多く使用されている。このプレキャストコンクリート板２０は、図６に示すように、小梁を省いた状態で荷重を支持できるように引張材２１でプレストレストが付与されている。この引張材２１は高さの異なるコンクリート板２２、２３ごとに配線され、このコンクリート板２２、２３ごとにプレストレストが付与されている。また、その他のプレキャストコンクリート板として、例えば特開２００４−１７６２９９号公報の発明がある。
【特許文献１】特開２００４−１７６２９９号公報
【発明の開示】
【発明が解決しようとする課題】
【０００３】
しかし、上記のプレキャストコンクリート板は、段差部に最も大きな曲げモーメントが作用し、この曲げモーメントに引張材の付着応力だけで抵抗しているため、この付着応力が減退すると曲げ抵抗が急激に弱くなって大きな破壊を招くおそれがあった。
【０００４】
本発明は上記のような問題に鑑みてなされたものであり、その目的は、コンクリート板全体にわたって連続的にプレストレストが付与されたプレキャストコンクリート板を提供することである。
【課題を解決するための手段】
【０００５】
上記の課題を解決するための本発明のプレキャストコンクリート板は、コンクリート板の長さ方向の中途部に段差部が形成され、該段差部を境にして形成された高さの異なる一方のコンクリート板と他方のコンクリート板とに長さ方向に沿って引張材が適宜間隔をもって埋設され、これらの引張材が段差部において連結板で連結され、該連結板で連結されて一本になった引張材で所定のプレストレスが付与されたことを特徴とする。また連結板は斜板とこの両端部の垂直板とからなり、これらの垂直板に引張材の一端部が定着グリップまたは定着ナットで定着されたことを含む。また連結板は対向した二枚の垂直板と、これらの垂直板を繋ぐ接続板とからなり、これら二枚の垂直板にわたって引張材の一端部が定着されたことを含むものである。
【発明の効果】
【０００６】
連続した一本の引張材により、段差部を備えたプレキャストコンクリート板全体にプレストレストを付与することができるので、段差部が補強されてそこにかかる荷重を支持することができる。また鉄筋ではなくプレストレスによって段差部が補強されたプレキャストコンクリート板を製造することができる。また引張材の端部を連結板に簡単に接合することができる。
【発明を実施するための最良の形態】
【０００７】
以下、本願発明のプレキャストコンクリート板（以下ＰＣ板という）の実施の形態について説明する。なお、各実施の形態において同じ構成は同じ符号を付して説明し、異なった構成は異なった符号を付して説明する。
【０００８】
図１〜図３は、第１の実施の形態のＰＣ板１を示すものである。このＰＣ板１はコンクリート板の長さ方向の中央部に形成された段差部２を境にして、高さの異なる一方のコンクリート板３と他方のコンクリート板４とから構成されている。
【０００９】
これら高さの異なるコンクリート板３、４には長さ方向にそって適宜間隔ごとにＰＣ鋼線またはＰＣ鋼より線などの引張材５が埋設され、これらが段差部２において連結板６で連結されて一本の引張材７になっている。この一本に連結された引張材７は所定の緊張力で緊張されて、両端部が定着具８で定着されることにより、ＰＣ板１に所定のプレストレスが付与されている。
【００１０】
この連結板６は、図２に示すように、斜板９とこの両端部の垂直板１０とからなり、斜板９が段差部２を斜めに横切り、かつ垂直板１０がコンクリート板３、４に対して垂直の状態で埋設され、これらの垂直板１０に引張材５の一端部が定着グリップ１１で定着されている。
【００１１】
よって、高さの異なるコンクリート板３、４に埋設された引張材５は段差部２で折り曲げられた一本の引張材７になり、これで両コンクリート板３、４にわたって連続したプレストレスト、すなわちＰＣ板１全体に連続したプレストレストが付与されている。
【００１２】
また図４は、第２の実施の形態のＰＣ板１２を示すものである。このＰＣ板１２は引張材５の一端部を定着ナット１３で連結板６における垂直板１０に接合したものであり、これ以外は第１の実施の形態のＰＣ板１と同じ構成である。このように引張材５の一端部を定着ナット１３で垂直板１０に接合すると、この定着ナット１３によって引張材５の長さ調整をすることができるようになる。
【００１３】
また図５は、第３の実施の形態のＰＣ板１４を示すものである。このＰＣ板１４は正面Ｎ字形の連結板１５を使用したものであり、これ以外は上記の第１の実施の形態のＰＣ板１と同じ構成である。この連結板１５は対向した二枚の垂直板１６と、これらの垂直板１６を繋ぐ斜めの接続板１７とからなり、これら二枚の垂直板１６にわたって引張材５の一端部が雄ねじ１８で定着され、これらが接続板１７で一本になっている。
【００１４】
この連結板１５も上記のように引張材５の長さ調整ができるとともに、正面Ｎ字形なので安定した設置ができる。なお引張材５の一端部は雄ねじ１８での定着に限らず、上記のように定着グリップ１１または定着ナット１３で止めることもできる。
【図面の簡単な説明】
【００１５】
【図１】第１の実施の形態のＰＣ板の平面図である。
【図２】（１）は図１のＡ−Ａ線断面図、（２）は同Ｂ−Ｂ線断面図である。
【図３】（１）は段差部の断面図、（２）は連結板の斜視図である。
【図４】第２の実施の形態のＰＣ板の断面図である。
【図５】第３の実施の形態のＰＣ板であり、（１）は断面図、（２）は連結板の斜視図である。
【図６】従来の段差部を備えたＰＣ板の断面図である。
【符号の説明】
【００１６】
１、１２、１４、２０  ＰＣ板
２、１９  段差部
３、４、２２、２３  コンクリート板
５、７、２１  引張材
６、１５  連結板
８  定着具
９  斜板
１０、１６  垂直板
１１  定着グリップ
１３  定着ナット
１７  接続板
１８  雄ねじ
【図１】
2006233697.tif 000003
【図２】
2006233697.tif 000004
【図３】
2006233697.tif 000005
【図４】
2006233697.tif 000006
【図５】
2006233697.tif 000007
【図６】
2006233697.tif 000008